(57)【要約】【課題】上方吹出口と下方吹出口から十分に調和されている空気を吹出させることができる安価な床置き型空気調和機を提供する。【解決手段】上通路Ｒ２は、室内ファン２２の上方出口２２ａから上部流路切替機構２８に続き、下通路Ｒ３は、室内ファン２２の下方出口２２ｂから下部流路切替機構２９に続いている。バイパス通路Ｒ１は、上部流路切替機構２８及び下部流路切替機構２９に接続されている。上部流路切替機構２８は、上通路Ｒ２を通って上方吹出口５８に調和空気が向かう状態と上通路Ｒ２からバイパス通路Ｒ１を通って下方吹出口５９に調和空気が向かう状態とを切り替え可能に構成されている。下部流路切替機構２９は、下通路Ｒ３から下方吹出口５９に調和空気が向かう状態と下通路Ｒ３からバイパス通路Ｒ１を通って上方吹出口５８に調和空気が向かう状態とを切り替え可能に構成されている。【選択図】図５
2014092317.tif 000002
【特許請求の範囲】
【請求項１】
熱交換により空気を調和させる熱交換器（２１）と、
前記熱交換器を収納し、前記熱交換器で熱交換を行わせる空気を吸込む吸込口（５７）、前記吸込口の上方にある上方吹出口（５８）、前記吸込口の下方にある下方吹出口（５８）、上通路（Ｒ２）、下通路（Ｒ３）及びバイパス通路（Ｒ１，Ｒ６，Ｒ７）が形成されているケーシング（５０）と、
前記ケーシングに収納され、前記吸込口と前記上通路及び前記下通路との間に配置され、前記吸込口から前記上方吹出口及び前記下方吹出口に向かう空気の流れを発生可能な遠心ファン（２２）と、
前記上方吹出口と前記上通路と前記バイパス通路の流路の切り替えを行なう上部流路切替機構（２８，２８Ａ）と、
前記下方吹出口と前記下通路と前記バイパス通路の流路の切り替えを行なう下部流路切替機構（２９，２９Ａ）と、
を備え、
前記上通路は、前記遠心ファンから前記上部流路切替機構に続き、
前記下通路は、前記遠心ファンから前記下部流路切替機構に続き、
バイパス通路は、前記上部流路切替機構及び前記下部流路切替機構に接続され、
前記上部流路切替機構は、前記上通路を通って前記上方吹出口に調和空気が向かう上部流路第１状態と前記上通路から前記バイパス通路を通って前記下方吹出口に調和空気が向かう上部流路第２状態とを切り替え可能に構成され、
前記下部流路切替機構は、前記下通路から前記下方吹出口に調和空気が向かう下部流路第１状態と前記下通路から前記バイパス通路を通って前記上方吹出口に調和空気が向かう下部流路第２状態とを切り替え可能に構成されている、床置き型空調室内機。
【請求項２】
前記上部流路切替機構及び前記下部流路切替機構は、前記上部流路第１状態と前記下部流路第１状態とを同時に設定可能に構成されている、
請求項１に記載の床置き型空調室内機。
【請求項３】
前記上部流路切替機構は、上部ダンパ（２８ａ，２８ａ１，２８ａ２，２８ａ３）を有し、
前記下部流路切替機構は、下部ダンパ（２９ａ，２９ａ１，２９ａ２，２９ａ３）を有し、
前記上部流路切替機構及び前記下部流路切替機構は、前記上部流路第１状態と前記下部流路第１状態とに同時に設定されているときに、前記上部ダンパで前記上通路と前記上方吹出口との間を開通させるとともに前記上方吹出口及び前記上通路と前記バイパス通路との間を封鎖し、前記下部ダンパで前記下通路と前記下方吹出口との間を開通させるとともに前記下方吹出口及び前記下通路と前記バイパス通路との間を封鎖する、
請求項２に記載の床置き型空調室内機。
【請求項４】
前記上部流路切替機構及び前記下部流路切替機構は、前記上部流路第１状態と前記下部流路第２状態とを同時に設定可能に構成されている、
請求項１から３のいずれか一項に記載の床置き型空調室内機。
【請求項５】
前記上部流路切替機構は、上部ダンパ（２８ａ，２８ａ１，２８ａ２，２８ａ３）を有し、
前記下部流路切替機構は、下部ダンパ（２９ａ，２９ａ１，２９ａ２，２９ａ３）を有し、
前記上部流路切替機構及び前記下部流路切替機構は、前記上部流路第１状態と前記下部流路第２状態とに同時に設定されているときに、前記上部ダンパで前記上通路と前記上方吹出口の間を開通させるとともに前記上方吹出口と前記バイパス通路との間を開通させ、前記下部ダンパで前記下方吹出口と前記下通路及び前記バイパス通路との間を封鎖するとともに前記バイパス通路と前記下通路との間を開通させる、
請求項４に記載の床置き型空調室内機。
【請求項６】
前記上部流路切替機構及び前記下部流路切替機構は、前記上部流路第２状態と前記下部流路第１状態とを同時に設定可能に構成されている、
請求項１から４のいずれか一項に記載の床置き型空調室内機。
【請求項７】
前記上部流路切替機構は、上部ダンパ（２８ａ，２８ａ１，２８ａ２，２８ａ３）を有し、
前記下部流路切替機構は、下部ダンパ（２９ａ，２９ａ１，２９ａ２，２９ａ３）を有し、
前記上部流路切替機構及び前記下部流路切替機構は、前記上部流路第２状態と前記下部流路第１状態とに同時に設定されているときに、前記上部ダンパで前記上方吹出口と前記上通路及び前記バイパス通路との間を封鎖するとともに前記バイパス通路と前記上通路との間を開通させ、前記下部ダンパで前記下通路と前記下方吹出口の間を開通させるとともに前記バイパス通路と前記下方吹出口との間を開通させる、
請求項６に記載の床置き型空調室内機。
【請求項８】
前記熱交換器は、前記吸込口と前記遠心ファンとの間に配置されている、
請求項１から７のいずれか一項に記載の床置き型空調室内機。
【発明の詳細な説明】
【技術分野】
【０００１】
本発明は、床置き型空調室内機に関し、特にケーシングの上部と下部に吹出口を有する床置き型空調室内機に関する。
【背景技術】
【０００２】
従来から、上方吹出口と下方吹出口を備え、中央から空気を吸い込み、熱交換器を通して吸込んだ空気の調和を行い、上方吹出口や下方吹出口から空気を吹出す空気調和機が知られている。
【０００３】
例えば、特許文献１（特開２００９−２５７７０９号公報）に示されている従来の空気調和機では、一つの熱交換器を用いて上方吹出口又は下方吹出口のいずれか一方からだけしか十分に調和されている空気を吹出させることができなかった。
【０００４】
そこで、特許文献１では、熱交換器を２つ用い、上方吹出口と下方吹出口の両方から十分に調和された空気を吹出させる空気調和機が提案されている。
【発明の概要】
【発明が解決しようとする課題】
【０００５】
しかし、特許文献１の空気調和装置のように、熱交換器を２つ用いて上方吹出口と下方吹出口から吹出させることが可能な構成にすると、空気調和装置が高価なものとなる。
【０００６】
本発明の課題は、上方吹出口と下方吹出口から十分に調和されている空気を吹出させることができる安価な床置き型空気調和機を提供することにある。
【課題を解決するための手段】
【０００７】
本発明の第１観点に係る床置き型空調室内機は、熱交換により空気を調和させる熱交換器と、熱交換器を収納し、熱交換器で熱交換を行わせる空気を吸込む吸込口、吸込口の上方にある上方吹出口、吸込口の下方にある下方吹出口、上通路、下通路及びバイパス通路が形成されているケーシングと、ケーシングに収納され、吸込口と上通路及び下通路との間に配置され、吸込口から上方吹出口及び下方吹出口に向かう空気の流れを発生可能な遠心ファンと、上方吹出口と上通路とバイパス通路の流路の切り替えを行なう上部流路切替機構と、下方吹出口と下通路とバイパス通路の流路の切り替えを行なう下部流路切替機構と、を備え、上通路は、遠心ファンから上部流路切替機構に続き、下通路は、遠心ファンから下部流路切替機構に続き、バイパス通路は、上部流路切替機構及び下部流路切替機構に接続されている。また、上部流路切替機構は、上通路を通って上方吹出口に調和空気が向かう上部流路第１状態と上通路からバイパス通路を通って下方吹出口に調和空気が向かう上部流路第２状態とを切り替え可能に構成され、下部流路切替機構は、下通路から下方吹出口に調和空気が向かう下部流路第１状態と下通路からバイパス通路を通って上方吹出口に調和空気が向かう下部流路第２状態とを切り替え可能に構成されている。
【０００８】
第１観点に係る床置き型空調室内機によれば、上部流路切替機構により、上通路からバイパス通路を通って下方吹出口に空気が向かう上部流路第２状態にすることで、上通路に向かう空気を下方吹出口から吹出させることができる。また、下部流路切替機構により、下通路からバイパス通路を通って上方吹出口に空気が向かう下部流路第２状態にすることで、下通路に向かう空気を上方吹出口から吹出させることができる。このように遠心ファンの周囲に配置されているバイパス通路を使って遠心ファンの空気を導くことで、ケーシングをコンパクトに保ちながら、空気の導き方にバリエーションを持たせることができる。
【０００９】
本発明の第２観点に係る床置き型空調室内機は、第１観点に係る床置き型空調室内機において、上部流路切替機構及び下部流路切替機構は、上部流路第１状態と下部流路第１状態とを同時に設定可能に構成されている。
【００１０】
第２観点に係る床置き型空調室内機によれば、上部流路切替機構を上部流路第１状態にして遠心ファンから上に吹出される調和空気を上方吹出口から吹出させると同時に、下部流路切替機構を下部流路第１状態にして遠心ファンから下に吹出される調和空気を下方吹出口から吹出させることができ、上下吹きを行なわせることができる。
【００１１】
本発明の第３観点に係る床置き型空調室内機は、第２観点の床置き型空調室内機において、上部流路切替機構は、上部ダンパを有し、下部流路切替機構は、下部ダンパを有し、上部流路切替機構及び下部流路切替機構は、上部流路第１状態と下部流路第１状態とに同時に設定されているときに、上部ダンパで上通路と上方吹出口との間の流路を開通させるとともに上方吹出口及び上通路とバイパス通路との間を封鎖し、下部ダンパで下通路と下方吹出口との間を開通させるとともに下方吹出口及び下通路とバイパス通路との間を封鎖する。
【００１２】
第３観点に係る床置き型空調室内機によれば、バイパス通路を上部ダンパと下部ダンパで閉鎖することにより、バイパス通路に空気が流れ込まないようにして、効率良く空気を上方吹出口と下方吹出口から吹出させることができる。
【００１３】
本発明の第４観点に係る床置き型空調室内機は、第１観点から第３観点のいずれかの床置き型空調室内機において、上部流路切替機構及び下部流路切替機構は、上部流路第１状態と下部流路第２状態とを同時に設定可能に構成されている。
【００１４】
第４観点に係る床置き型空調室内機によれば、上部流路第１状態に切り替えられている上部流路切替機構によって上通路を通って上方吹出口に空気が導かれ、かつ下部流路第２状態に切り替えられている下部流路切替機構によって下通路からバイパス通路を通って上方吹出口に空気が導かれるので、遠心ファンが上方に吹出す空気及び下方に吹出す空気を上方吹出口に導くことができる。
【００１５】
本発明の第５観点に係る床置き型空調室内機は、第４観点の床置き型空調室内機において、上部流路切替機構は、上部ダンパを有し、下部流路切替機構は、下部ダンパを有し、上部流路切替機構及び下部流路切替機構は、上部流路第１状態と下部流路第２状態とに同時に設定されているときに、上部ダンパで上通路と上方吹出口の間を開通させるとともに上方吹出口とバイパス通路との間を開通させ、下部ダンパで下方吹出口と下通路及びバイパス通路との間を封鎖するとともにバイパス通路と下通路との間を開通させる。
【００１６】
第５観点に係る床置き型空調室内機によれば、上部ダンパによって上通路と上方吹出口との間及びバイパス通路と上方吹出口との間の両方を開通させ、下部ダンパによって下通路と下方吹出口との間を閉鎖するとともに下通路とバイパス通路との間を開通させることにより、遠心ファンが上方に吹出す空気と下方に吹出す空気をともに上方吹出口に送ることができるので上方吹出口からの吹出しを強めることができる。
【００１７】
本発明の第６観点に係る床置き型空調室内機は、第１観点から第4観点のいずれかの床置き型空調室内機において、上部流路切替機構及び下部流路切替機構は、上部流路第２状態と下部流路第１状態とを同時に設定可能に構成されている。
【００１８】
第６観点に係る床置き型空調室内機によれば、下部流路第１状態に切り替えられている下部流路切替機構によって下通路を通って下方吹出口に空気が導かれ、かつ上部流路第２状態に切り替えられている上部流路切替機構によって上通路からバイパス通路を通って下方吹出口に空気が導かれるので、遠心ファンが上方に吹出す空気及び下方に吹出す空気を下方吹出口に導くことができる。
【００１９】
本発明の第７観点に係る床置き型空調室内機は、第６観点の床置き型空調室内機において、上部流路切替機構は、上部ダンパを有し、下部流路切替機構は、下部ダンパを有し、上部流路切替機構及び下部流路切替機構は、上部流路第２状態と下部流路第１状態とに同時に設定されているときに、上部ダンパで上方吹出口と上通路及びバイパス通路との間を封鎖するとともにバイパス通路と上通路との間を開通させ、下部ダンパで下通路と下方吹出口の間を開通させるとともにバイパス通路と下方吹出口との間を開通させる。
【００２０】
第７観点に係る床置き型空調室内機によれば、下部ダンパによって下通路と下方吹出口との間及びバイパス通路と下方吹出口との間の両方を開通させ、上部ダンパによって上通路と上方吹出口との間を閉鎖するとともに上通路とバイパス通路との間を開通させることにより、遠心ファンが下方に吹出す空気と上方に吹出す空気をともに下方吹出口に送ることができるので下方吹出口からの吹出しを強めることができる。
【００２１】
本発明の第８観点に係る床置き型空調室内機は、第１観点から第７観点のいずれかの床置き型空調室内機において、熱交換器は、吸込口と遠心ファンとの間に配置されている。
【００２２】
第８観点に係る床置き型空調室内機によれば、遠心ファンが熱交換器の後に配置されていることから遠心ファンの熱交換器に送風する能力が十分引き出せるので遠心ファンを小型化し易くなるとともに、一つの熱交換器で上方吹出口から吹出される空気と下方吹出口から吹出される空気の両方を調和することが可能になる。
【発明の効果】
【００２３】
本発明の第１観点に係る床置き型空調室内機では、簡単で安価なバイパス通路を使ってケーシングをコンパクトに保ちながら上部流路切替機構及び下部流路切替機構により遠心ファンから吹出された空気の導き方にバリエーションを持たせることができ、空気の導き方のバリエーションから上方吹出口と下方吹出口から十分に調和された空気を吹出させるモードを適宜選択できる。
【００２４】
本発明の第２観点に係る床置き型空調室内機では、上部流路切替機構と下部流路切替機構を用いて上下吹きを行わせることができ、上方吹出口と下方吹出口から同時に十分に調和されている空気を吹出させることができる。
【００２５】
本発明の第３観点に係る床置き型空調室内機では、上部流路切替機構の上部ダンパと下部流路切替機構の下部ダンパを用いて上方吹出口と下方吹出口から同時に十分に調和されている空気を効率良く吹出させることができる。
【００２６】
本発明の第４観点に係る床置き型空調室内機では、上部流路切替機構と下部流路切替機構を用いて上吹きを行わせることができ、遠心ファンが上下に吹出す空気をともに上方に導くことで調和されている十分な空気を上方吹出口から吹出させることができる。
【００２７】
本発明の第５観点に係る床置き型空調室内機では、上部流路切替機構の上部ダンパと下部流路切替機構の下部ダンパを用いて十分に調和されている空気を上方吹出口から効率良く吹出させることができる。
【００２８】
本発明の第６観点に係る床置き型空調室内機では、上部流路切替機構と下部流路切替機構を用いて下吹きを行わせることができ、遠心ファンが上下に吹出す空気をともに下方に導くことで調和されている十分な空気を下方吹出口から吹出させることができる。
【００２９】
本発明の第７観点に係る床置き型空調室内機では、上部流路切替機構の上部ダンパと下部流路切替機構の下部ダンパを用いて十分に調和されている空気を下方吹出口から効率良く吹出させることができる。
【００３０】
本発明の第８観点に係る床置き型空調室内機では、遠心ファンを小型化し易くなること及び熱交換器に送風するための余分な通路を設けなくても済むことから、ケーシングをコンパクト化することができる。
【図面の簡単な説明】
【００３１】
【図１】床置き型空調室内機の構成例の概要を示す回路図。
【図２】制御系統の構成例の概略を示すブロック図
【図３】床置き型空調室内機の外観の概要を示す正面図。
【図４】上下吹きモードの床置き型空調室内機の模式的な断面図。
【図５】上吹きモードの床置き型空調室内機の模式的な断面図。
【図６】下吹きモードの床置き型空調室内機の模式的な断面図。
【図７】上下吹きモードの床置き型空調室内機の模式的な断面図。
【図８】上下吹きモードの床置き型空調室内機の模式的な断面図。
【図９】上吹きモードの床置き型空調室内機の模式的な断面図。
【図１０】上吹きモードの床置き型空調室内機の模式的な断面図。
【図１１】下吹きモードの床置き型空調室内機の模式的な断面図。
【図１２】下吹きモードの床置き型空調室内機の模式的な断面図。
【発明を実施するための形態】
【００３２】
＜第１実施形態＞
（１）空気調和機の冷媒回路
図１は、床置き型空調室内機を備える空気調和装置の構成の概要を示す回路図である。図１に示されているように、第１実施形態に係る空気調和機１０は、室内の床面などに置いて使用される床置き型空調室内機２０を備えている。空気調和機１０は、床置き型空調室内機２０以外に、主に、室外に設置される室外機３０を備えている。図１において、各装置を繋ぐ実線は冷媒配管を表しており、各装置を繋ぐ破線は信号伝送線路を表している。
【００３３】
室外機３０は、室内に設置される床置き型空調室内機２０に冷媒配管によって接続されて、床置き型空調室内機２０とともに空気調和機１０の冷媒回路を構成する。そのために、冷媒配管や通信線や伝送線路などが通る連絡配管１２によって床置き型空調室内機２０と室外機３０が連絡されている。図１に示されている冷媒回路を構成するために、床置き型空調室内機２０には、室内熱交換器２１などが設けられ、室外機３０には、圧縮機３１、四路切換弁３２、室外熱交換器３３、電動弁３４及びアキュムレータ３５などが設けられている。
【００３４】
ここで、冷媒が循環する冷媒回路の回路構成について簡単に説明する。圧縮機３１の吐出側には四路切換弁３２の第１ポートが接続されている。四路切換弁３２の第２ポートには室外熱交換器３３の一方の出入口が接続され、第３ポートにはアキュムレータ３５が接続され、第４ポートには冷媒連絡配管１２ｂが接続されている。四路切換弁３２は、冷房時には実線で示されている経路に切り換えられ、第１ポートと第２ポートの間を冷媒が流れるとともに第３ポートと第４ポートの間を冷媒が流れる。一方、暖房時に四路切換弁３２は、破線で示されている経路に切り換えられ、第１ポートと第４ポートの間を冷媒が流れるとともに、第２ポートと第３ポートの間を冷媒が流れる。室外熱交換器３３の他方の出入口は、電動弁３４と冷媒連絡配管１２ａとを介して室内熱交換器２１の一方の出入口に接続されている。室内熱交換器２１の他方の出入口は、冷媒連絡配管１２ｂを介して四路切換弁３２の第４ポートに接続されている。また、圧縮機３１の吸入側は、アキュムレータ３５を介して四路切換弁３２の第３ポートに接続されている。
【００３５】
冷房時には、圧縮機３１で圧縮されて吐出された冷媒が四路切換弁３２を介して室外熱交換器３３に送られる。冷房時には室外熱交換器３３は凝縮器として働き、外気との熱交換によって熱を奪われて凝縮した冷媒は、次に電動弁３４に送られる。電動弁３４は膨張機構として働き、高圧液状の冷媒が低圧の湿り蒸気の状態に変化する。このように電動弁３４で膨張した冷媒は、冷媒連絡配管１２ａを通って室内熱交換器２１に入る。冷房時には室内熱交換器２１は蒸発器として働き、冷媒の蒸発により室内空気と冷媒との間で熱交換が行われ、熱を奪って温度が上昇した冷媒は、冷媒連絡配管１２ｂと四路切換弁３２を通って、圧縮機３１の吸入側に接続されているアキュムレータ３５に送られる。
【００３６】
暖房時には、圧縮機３１で圧縮されて吐出された冷媒が四路切換弁３２から冷媒連絡配管１２ｂを経由して凝縮器として働く室内熱交換器２１に送られる。そして、冷房時とは逆の経路をたどって、蒸発器として働く室外熱交換器３３を出た冷媒は圧縮機３１に送られる。つまり、圧縮機３１から、四路切換弁３２、冷媒連絡配管１２ｂ、室内熱交換器２１、冷媒連絡配管１２ａ、電動弁３４、室外熱交換器３３、四路切換弁３２、アキュムレータ３５を順に経て圧縮機３１に戻る経路を冷媒が循環する。
【００３７】
床置き型空調室内機２０及び室外機３０には、それぞれ、室内熱交換器２１及び室外熱交換器３３における熱交換を促すために、室内熱交換器２１に室内空気を送る室内ファン２２及び、室外熱交換器３３に外気を送るプロペラファン３７が設けられている。これら室内ファン２２及びプロペラファン３７は、羽根車やプロペラなどを回転させるファンモータ２２ｍ，３７ｍを有している。
【００３８】
（２）制御系統
空気調和機１０における空気調和の動作が正しく効率良く行なわれるように、空気調和機１０は、図１及び図２に示されている制御装置４９によって制御される。制御装置４９は、室内制御装置４９ａ及び室外制御装置４９ｂを含み、室内制御装置４９ａが床置き型空調室内機２０の中に組み込まれ、室外制御装置４９ｂが室外機３０の中に組み込まれている。
【００３９】
図２は制御系統の構成の概略を示すブロック図である。室内制御装置４９ａと室外制御装置４９ｂとは、通信線１２ｃを介して互いに接続されて互いにデータの送受信を行っている。室内制御装置４９ａ及び室外制御装置４９ｂは、ＣＰＵ（中央演算処理装置）やメモリや周辺回路などを含んで構成されている。
【００４０】
床置き型空調室内機２０には、室内熱交換器２１の出入口の冷媒の温度を測定するための液側温度センサ２４とガス側温度センサ２５が設けられ、室内空気の温度を測定するための室内温度センサ２６が設けられている。これらの温度センサ２４〜２６で測定された温度は、室内制御装置４９ａに送信される。また、室内制御装置４９ａには、室内ファン２２のファンモータ２２ｍ、風向調節機構２７、上部流路切替機構２８及び下部流路切替機構２９が接続されている。この室内制御装置４９ａにより、例えばファンモータ２２ｍの回転数や運転・停止が制御される。風向調節機構２７が床置き型空調室内機２０に設けられており、室内制御装置４９ａに制御されることによって風向調節機構２７が風向調節板（図示せず）などの角度を変更することにより、上部吹出口（図３及び図４参照）から室内に吹き出される調和空気の向きが調節される。上部流路切替機構２８及び下部流路切替機構２９には、それぞれ上部ダンパ２８ａ及び下部ダンパ２９ａが設けられ、さらにそれら上部ダンパ２８ａ及び下部ダンパ２９ａを駆動するための駆動軸２８ｂ，２９ｂがそれぞれ設けられている。これら駆動軸２８ｂ，２９ｂは、例えばモータなどのアクチュエータ（図示せず）の動力によってそれぞれ独立して動くよう構成されている。
【００４１】
室外機３０には、室外機３０の各部の温度を測定するため、室外熱交換器温度センサ４１、熱交換器出入口温度センサ４２、吸入側温度センサ４３、吐出側温度センサ４４及び外気温度センサ４５などが設けられている。室外熱交換器温度センサ４１では、室外熱交換器３３の内部の冷媒の温度が測定される。室外熱交換器３３の出入口に設けられている熱交換器出入口温度センサ４２では、室外熱交換器３３から床置き型空調室内機２０へと流れる冷媒の温度が測定される。吸入側温度センサ４３では、圧縮機３１に吸入される冷媒の温度が測定される。吐出側温度センサ４４では、圧縮機３１から吐出される冷媒の温度が測定される。外気温度センサ４５では、室外機３０の周囲の外気温度が測定される。これらの温度センサ４１〜４５で測定された温度は、室外制御装置４９ｂに送信される。
【００４２】
また、室外機３０には、圧縮機３１に吸入される冷媒の圧力を測定するための吸入側圧力センサ４６及び、圧縮機３１から吐出される冷媒の圧力を測定するための吐出側圧力センサ４７などの圧力センサが設けられている。吸入側圧力センサ４６及び吐出側圧力センサ４７などで測定された冷媒の圧力値は室外制御装置４９ｂに送信される。
【００４３】
さらに、室外制御装置４９ｂには、圧縮機３１の圧縮機モータ部３８、四路切換弁３２、電動弁３４及び室外ファンモータ３７ｍが接続されている。この室外制御装置４９ｂにより、例えば圧縮機モータ部３８や室外ファンモータ３７ｍの回転数やそれらの運転・停止が制御され、四路切換弁３２の切換えが制御され、電動弁３４の開度が制御される。
【００４４】
（３）ケーシングの外観
床置き型空調室内機２０は、図３に示されているケーシング５０を備えている。床置き型空調室内機２０の室内熱交換器２１及び室内ファン２２は、ケーシング５０の内部に収納されている。ケーシング５０は、前面パネル５１と右側面パネル５２と左側面パネル５３と天面パネル５４と底面パネル５５と後面パネル５６とによって囲まれた直方体形状を有している。前面パネル５１には、中央部に吸込口５７が形成され、上方に上方吹出口５８が形成され、下方に下方吹出口５９が形成されている。上方吹出口５８には、床置き型空調室内機２０の運転時に上方吹出口５８から吹出される気流の左右方向の風向を調節するための垂直フラップ（図示せず）が設けられている。また、水平フラップ（図示せず）が、上方吹出口５８に設けられている。垂直フラップは、垂直面（例えば前面パネル５１）に対する角度を変更することによって、吹出される調和空気を案内する角度を調節する。水平フラップは、水平面（例えば天面パネル５４）に対する角度を変更することによって、吹出される調和空気を案内する角度を調節する。つまり、垂直フラップによって左右方向に風向が変更され、水平フラップによって上下方向に風向が変更される。
【００４５】
（４）ケーシング内部の構造
図４、図５及び図６には床置き型空調室内機２０の断面構造の概要が示されている。ケーシング５０の前面パネル５１の吸込口５７の後側には、室内熱交換器２１の収納される第１内部空間Ｓ１が形成されている。室内熱交換器２１は、直方体形状であり、この第１内部空間Ｓ１において前面パネル５１と平行に配置されている。室内熱交換器２１は、図３に示されているように、前面から見て吸込口５７よりも広い面積を占め、前面から見た室内熱交換器２１の占有領域の中央部に吸込口５７が配置されている。室内熱交換器２１の上下左右及び後側は第１仕切部材６１で仕切られ、室内熱交換器２１の第１仕切部材６１には、円形の開口部６１ａが形成されている。開口部６１ａの中心が回転軸の延長上に配置されるように室内ファン２２が支持板６２に取り付けられている。
【００４６】
支持板６２は、後面パネル５６と平行に設置されており、また第１仕切部材６１のうち室内熱交換器２１の後側にある板状部分６１ｂに対しても平行になっている。この支持板６２と後面パネル５６とに挟まれた第２内部空間Ｓ２がバイパス通路Ｒ１になっている。この第２内部空間Ｓ２の右と左が右側面パネル５２及び左側面パネル５３によって覆われ、第２内部空間Ｓ２の上方が第２仕切部材６３によって覆われ、第２内部空間Ｓ２の下方が第３仕切部材６４によって覆われている。第２仕切部材６３及び第３仕切部材６４は、いずれも後面パネル５６から前方に向かって天面パネル５４に平行に延び、その右と左は右側面パネル５２及び左側面パネル５３にまで続いている。そして、第２仕切部材６３と支持板６２の上端部６２ａとの間に上部第１開口部６５が形成されている。また、第３仕切部材６４と支持板６２の下端部６２ｂとの間に下部第１開口部６６が形成されている。なお、右側面パネル５２及び左側面パネル５３には断熱のための構造や各機器を収納するための構造が形成されており、第２仕切部材６３及び第３仕切部材６４が右側面パネル５２及び左側面パネル５３にまで続いているというのはそのような構造までしか達していない場合も含んでいる。以下の説明でも、側面部分が囲まれていることを示すために右側面パネル５２及び左側面パネル５３にまで続くとか、右側面パネル５２及び左側面パネル５３で囲まれているなどの表現を使用している。
【００４７】
室内ファン２２は、上方と下方にそれぞれ上方出口２２ａ及び下方出口２２ｂを持っている。上方出口２２ａは、ケーシング５０の上通路Ｒ２に接続されており、下方出口２２ｂは、ケーシング５０の下通路Ｒ３に接続されている。上通路Ｒ２は、第１仕切部材６１の板状部分６１ｂの上部と支持板６２の上部との間に形成され、その右と左が右側面パネル５２及び左側面パネル５３で囲まれている。同様に、下通路Ｒ３は、第１仕切部材６１の板状部分６１ｂの下部と支持板６２の下部との間に形成され、その右と左が右側面パネル５２及び左側面パネル５３で囲まれている。
【００４８】
上方吹出口５８には、上方吹出通路用第１部材７１と上方吹出通路用第２部材７２との間に形成されている上方吹出通路Ｒ４が繋がっている。上方吹出通路用第１部材７１の右と左は、右側面パネル５２及び左側面パネル５３にまで続き、上方吹出通路用第２部材７２の右と左は、右側面パネル５２及び左側面パネル５３にまで続いている。そして、上方吹出口５８とは反対側の上方吹出通路用第１部材７１と上方吹出通路用第２部材７２の端部は、上部第２開口部６７に繋がっている。下方吹出口５９には、下方吹出通路用第１部材７３と下方吹出通路用第２部材７４との間に形成されている下方吹出通路Ｒ５が繋がっている。下方吹出通路用第１部材７３の右と左は、右側面パネル５２及び左側面パネル５３にまで続き、下方吹出通路用第２部材７４の右と左は、右側面パネル５２及び左側面パネル５３にまで続いている。そして、下方吹出口５９とは反対側の下方吹出通路用第１部材７３と下方吹出通路用第２部材７４の端部は、下部第２開口部６８に繋がっている。
【００４９】
上方吹出通路Ｒ４を形成する上方吹出通路用第１部材７１は、上通路Ｒ２を形成する第１仕切部材６１の板状部分６１ｂの上部に接続されている。また、上方吹出通路Ｒ４を形成する上方吹出通路用第２部材７２は、バイパス通路Ｒ１を形成する第２仕切部材６３に接続されている。つまり、バイパス通路Ｒ１と上通路Ｒ２と上方吹出通路Ｒ４とが接続されて、Ｙ字路が形成されている。これらバイパス通路Ｒ１と上通路Ｒ２と上方吹出通路Ｒ４とが交わるＹ字路に上部流路切替機構２８が形成されている。
【００５０】
また、下方吹出通路Ｒ５を形成する下方吹出通路用第１部材７３は、下通路Ｒ３を形成する第１仕切部材６１の板状部分６１ｂの下部に接続されている。また、下方吹出通路Ｒ５を形成する下方吹出通路用第２部材７４は、バイパス通路Ｒ１を形成する第３仕切部材６４に接続されている。つまり、バイパス通路Ｒ１と下通路Ｒ３と下方吹出通路Ｒ５とが接続されて、Ｙ字路が形成されている。これらバイパス通路Ｒ１と下通路Ｒ３と下方吹出通路Ｒ５とが交わるＹ字路に下部流路切替機構２９が形成されている。
【００５１】
上部流路切替機構２８は、上部ダンパ２８ａ及び駆動軸２８ｂを有して構成されている。上部流路切替機構２８は、上部ダンパ２８ａで、上部第１開口部６５を閉じて上部第２開口部６７を開く第１状態（図４参照）と、上部第１開口部６５を開いて上部第２開口部６７を閉じる第２状態（図６参照）と、上部第１開口部６５及び上部第２開口部６７の両方を開く第３状態（図５参照）とを切り替える。言い換えると、上部流路切替機構２８は、第１状態では上通路Ｒ２と上方吹出通路Ｒ４の間を開通させるとともに上通路Ｒ２及び上方吹出通路Ｒ４とバイパス通路Ｒ１の間を閉鎖し、第２状態ではバイパス通路Ｒ１と上通路Ｒ２の間を開通させるとともにバイパス通路Ｒ１及び上通路Ｒ２と上方吹出通路Ｒ４の間を閉鎖し、第３状態ではバイパス通路Ｒ１と上通路Ｒ２と上方吹出通路Ｒ４の間を開通させる。
【００５２】
下部流路切替機構２９は、下部ダンパ２９ａ及び駆動軸２９ｂを有して構成されている。下部流路切替機構２９は、下部ダンパ２９ａで、下部第１開口部６６を閉じて下部第２開口部６８を開く第１状態（図４参照）と、下部第１開口部６６を開いて下部第２開口部６８を閉じる第２状態（図５参照）と、下部第１開口部６６及び下部第２開口部６８の両方を開く第３状態（図６参照）とを切り替える。言い換えると、下部流路切替機構２９は、第１状態では下通路Ｒ３と下方吹出通路Ｒ５の間を開通させるとともに下通路Ｒ３及び下方吹出通路Ｒ５とバイパス通路Ｒ１の間を閉鎖し、第２状態ではバイパス通路Ｒ１と下通路Ｒ３の間を開通させるとともにバイパス通路Ｒ１及び下通路Ｒ３と下方吹出通路Ｒ５の間を閉鎖し、第３状態ではバイパス通路Ｒ１と下通路Ｒ３と下方吹出通路Ｒ５の間を開通させる。
【００５３】
（５）上部流路切替機構と下部流路切替機構の動作
（５−１）上下吹きモード
図４には、上下吹きモードで動作している床置き型空調室内機２０が示されている。上下吹きモードは、例えば暖房運転時に選択される。上下吹きモードにおいては、上部流路切替機構２８及び下部流路切替機構２９が両方とも第１状態になっている。つまり、上部流路切替機構２８では上部ダンパ２８ａによって上部第１開口部６５が閉じられ、下部流路切替機構２９では下部ダンパ２９ａによって下部第１開口部６６が閉じられている。
【００５４】
図４に示されている状態では、吸込口５７から第１内部空間Ｓ１に吸込まれた室内空気は、室内熱交換器２１で熱交換される。暖房運転時には、室内熱交換器２１で暖められた調和空気が第１仕切部材６１の開口部６１ａを通過して室内ファン２２に吸込まれる。室内ファン２２は、遠心ファンであり、室内ファン２２として例えばターボファンやシロッコファンを用いることができる。このような室内ファン２２に吸込まれた調和空気は、上下方向に同時に導かれ、室内ファン２２の上方出口２２ａ及び下方出口２２ｂから吹出される。室内ファン２２の上方出口２２ａから出る調和空気は、上通路Ｒ２から上方吹出通路Ｒ４を通って上方吹出口５８より吹出される。このとき、上部ダンパ２８ａは上部第１開口部６５を閉じているので、上通路Ｒ２及び上方吹出通路Ｒ４からバイパス通路Ｒ１に向かう気流は生じない。また、室内ファン２２の下方出口２２ｂから出る調和空気は、下通路Ｒ３から下方吹出通路Ｒ５を通って下方吹出口５９より吹出される。このとき、下部ダンパ２９ａは下部第１開口部６６を閉じているので、下通路Ｒ３及び下方吹出通路Ｒ５からバイパス通路Ｒ１に向かう気流は生じない。
【００５５】
（５−２）上吹きモード
図５には、上吹きモードで動作している床置き型空調室内機２０が示されている。上吹きモードは、例えば冷房運転時に選択される。上吹きモードにおいては、上部流路切替機構２８が第３状態になるとともに下部流路切替機構２９が第２状態になっている。つまり、上部流路切替機構２８では上部ダンパ２８ａによって上部第１開口部６５及び上部第２開口部６７が開かれ、下部流路切替機構２９では下部ダンパ２９ａによって下部第２開口部６８が閉じられている。
【００５６】
図５に示されている状態では、冷房運転時には、室内熱交換器２１で冷やされた調和空気が第１仕切部材６１の開口部６１ａを通過して室内ファン２２に吸込まれ、室内ファン２２の上方出口２２ａ及び下方出口２２ｂから吹出される。室内ファン２２の上方出口２２ａから出る調和空気は、上通路Ｒ２から上方吹出通路Ｒ４を通って上方吹出口５８より吹出される。また、室内ファン２２の下方出口２２ｂから出る調和空気は、下通路Ｒ３からバイパス通路Ｒ１を通って上部第１開口部６５より上方吹出通路Ｒ４に入る。つまり、室内ファン２２の上方出口２２ａ及び下方出口２２ｂからでる調和空気は、両方とも上方吹出口５８から吹出される。
【００５７】
（５−３）下吹きモード
図６には、下吹きモードで動作している床置き型空調室内機２０が示されている。下吹きモードは、例えば暖房運転時に選択される。下吹きモードにおいては、上部流路切替機構２８が第２状態になるとともに下部流路切替機構２９が第３状態になっている。つまり、上部流路切替機構２８では上部ダンパ２８ａによって上部第２開口部６７が閉じられ、下部流路切替機構２９では下部ダンパ２９ａによって下部第１開口部６６及び下部第２開口部６８が開かれている。
【００５８】
図６に示されている状態では、暖房運転時には、室内熱交換器２１で暖められた調和空気が第１仕切部材６１の開口部６１ａを通過して室内ファン２２に吸込まれ、室内ファン２２の上方出口２２ａ及び下方出口２２ｂから吹出される。室内ファン２２の下方出口２２ｂから出る調和空気は、下通路Ｒ３から下方吹出通路Ｒ５を通って下方吹出口５９より吹出される。また、室内ファン２２の上方出口２２ａから出る調和空気は、上通路Ｒ２からバイパス通路Ｒ１を通って下部第１開口部６６より下方吹出通路Ｒ５に入る。つまり、室内ファン２２の上方出口２２ａ及び下方出口２２ｂからでる調和空気は、両方とも下方吹出口５９から吹出される。
【００５９】
（６）特徴
（６−１）
上記第１実施形態の床置き型空調室内機２０は、室内熱交換器２１（熱交換器の一例）と、ケーシング５０と、室内ファン２２（遠心ファンの一例）と、上部流路切替機構２８と、下部流路切替機構２９とを備えている。ケーシング５０には、室内熱交換器２１及び室内ファン２２が収納されている。このケーシング５０には、吸込口５７、吸込口５７の上方にある上方吹出口５８、吸込口５７の下方にある下方吹出口５９、上通路Ｒ２、下通路Ｒ３及びバイパス通路Ｒ１が形成されている。室内ファン２２は、吸込口５７と上通路Ｒ２及び下通路Ｒ３との間に配置され、吸込口５７から上方吹出口５８及び下方吹出口５９に向かう空気の流れを発生させることができる。
【００６０】
上部流路切替機構２８は、上方吹出口５８と上通路Ｒ２とバイパス通路Ｒ１の流路の切り替えを行なう。下部流路切替機構２９は、下方吹出口５９と下通路Ｒ３とバイパス通路Ｒ１の流路の切り替えを行なう。上通路Ｒ２は、室内ファン２２の上方出口２２ａから上部流路切替機構２８に続き、下通路Ｒ３は、室内ファン２２の下方出口２２ｂから下部流路切替機構２９に続いている。バイパス通路Ｒ１は、室内ファン２２に対して吸込口５７の側とは反対側の第２内部空間Ｓ２に形成され、上部流路切替機構２８及び下部流路切替機構２９に接続されている。また、上部流路切替機構２８は、上通路Ｒ２を通って上方吹出口５８に調和空気が向かう第１状態及び第３状態（上部流路第１状態の一例）と上通路Ｒ２からバイパス通路Ｒ１を通って下方吹出口５９に調和空気が向かう第２状態（上部流路第２状態の一例）とを切り替え可能に構成されている。また下部流路切替機構２９は、下通路Ｒ３から下方吹出口５９に調和空気が向かう第１状態及び第３状態（下部流路第１状態の一例）と下通路Ｒ３からバイパス通路Ｒ１を通って上方吹出口５８に調和空気が向かう第２状態（下部流路第２状態の一例）とを切り替え可能に構成されている。
【００６１】
上通路Ｒ２からバイパス通路Ｒ１を通って下方吹出口５９に空気が向かう上部流路切替機構２８を第２状態にすることで、バイパス通路Ｒ１を下方吹出通路Ｒ５に通じさせていれば（下部流路切替機構２９が第３状態になっていれば）、上通路Ｒ２に向かう空気を下方吹出口５９から吹出させることができる。また、下通路からバイパス通路を通って上方吹出口に空気が向かう下部流路切替機構２９を第２状態にすることで、バイパス通路Ｒ１を上方吹出通路Ｒ４に通じさせていれば（上部流路切替機構２８が第３状態になっていれば）、下通路Ｒ３に向かう空気を上方吹出口５８から吹出させることができる。このように室内ファン２２の周囲に配置されているバイパス通路Ｒ１を使って室内ファン２２の空気を導くことで、簡単で安価なバイパス通路Ｒ１を使ってケーシング５０をコンパクトに保ちながら、上部流路切替機構及び下部流路切替機構により空気の導き方にバリエーションを持たせることができ、空気の導き方のバリエーションから上方吹出口と下方吹出口から十分に調和された空気を吹出させるモードを適宜選択できる。
【００６２】
（６−２）
上部流路切替機構２８及び下部流路切替機構２９は、上部流路切替機構２８が第１状態のときに下部流路切替機構２９を第１状態の設定（上部流路第１状態と下部流路第１状態とを同時に設定している状態の一例）にできる。このように設定される図４の状態では、上部流路切替機構２８を第１状態にして室内ファン２２から上に吹出される調和空気を上方吹出口５８から吹出させると同時に、下部流路切替機構２９を第１状態にして室内ファン２２から下に吹出される調和空気を下方吹出口５９から吹出させることができ、上下吹きを行なわせることができる。上下吹きモードにすることにより、上部流路切替機構２８と下部流路切替機構２９を用いて上下吹きを行わせることができ、上方吹出口５８と下方吹出口５９から同時に十分に調和されている空気を吹出させることができる。
【００６３】
（６−３）
図４の状態では、上部流路切替機構２８が第１状態に設定されると同時に下部流路切替機構２９が第１状態に設定されている。このような状態では、上部ダンパ２８ａで上通路Ｒ２と上方吹出口５８との間が開通し、上方吹出口５８及び上通路Ｒ２とバイパス通路Ｒ１との間が封鎖され、下部ダンパ２９ａで下通路Ｒ３と下方吹出口５９との間を開通させるとともに下方吹出口５９及び下通路Ｒ３とバイパス通路Ｒ１との間が封鎖される。このようにバイパス通路Ｒ１を上部ダンパ２８ａと下部ダンパ２９ａで閉鎖することにより、バイパス通路Ｒ１に空気が流れ込まないようにして、上方吹出口５８と下方吹出口５９から同時に十分に調和されている空気を効率良く吹出させることができる。
【００６４】
（６−４）
上部流路切替機構２８及び下部流路切替機構２９は、上部流路切替機構２８が第３状態のときに下部流路切替機構２９を第２状態の設定（上部流路第１状態と下部流路第２状態とを同時に設定している状態の一例）にできる。このように設定される図５の状態では、上部流路切替機構２８を第３状態にして上通路Ｒ２を通って上方吹出口５８に空気が導かれ、下部流路切替機構２９を第２状態にして下通路Ｒ３からバイパス通路Ｒ１を通って上方吹出口５８に空気が導かれる。このように室内ファン２２が上方に吹出す空気及び下方に吹出す空気を両方とも上方吹出口５８から吹出させることができ、室内ファン２２が上下に吹出す空気をともに上方に導くことで調和されている十分な空気を上方吹出口５８から吹出させることができる。
【００６５】
（６−５）
図５の状態では、上部流路切替機構２８が第３状態に設定されると同時に下部流路切替機構２９が第２状態に設定されている。このような状態では、上部ダンパ２８ａで上通路Ｒ２と上方吹出口５８の間を開通させるとともに上方吹出口５８とバイパス通路Ｒ１との間を開通させ、下部ダンパ２９ａで下方吹出口５９と下通路Ｒ３及びバイパス通路Ｒ１との間を封鎖するとともにバイパス通路Ｒ１と下通路Ｒ３との間を開通させる。このように上部ダンパ２８ａによって上通路Ｒ２と上方吹出口５８の間及びバイパス通路Ｒ１と上方吹出口５８の間の両方を開通させ、下部ダンパ２９ａによって下通路Ｒ３と下方吹出口５９との間を閉鎖するとともに下通路Ｒ３とバイパス通路Ｒ１との間を開通させることにより、室内ファン２２が上方に吹出す空気と下方に吹出す空気をともに上方吹出口５８に送ることができる。それにより、上方吹出口５８からの吹出しを強めることができ、十分に調和されている空気を上方吹出口５８から効率良く吹出させることができる。
【００６６】
（６−６）
上部流路切替機構２８及び下部流路切替機構２９は、上部流路切替機構２８が第２状態のときに下部流路切替機構２９を第３状態の設定（上部流路第２状態と下部流路第１状態とを同時に設定している状態の一例）にできる。このように設定される図６の状態では、下部流路切替機構２９を第３状態にして下通路Ｒ３を通って下方吹出口５９に空気が導かれ、上部流路切替機構２８を第２状態にして上通路Ｒ２からバイパス通路Ｒ１を通って下方吹出口５９に空気が導かれる。このように室内ファン２２が上方に吹出す空気及び下方に吹出す空気を両方とも下方吹出口５９から吹出させることができ、室内ファン２２が上下に吹出す空気をともに下方に導くことで調和されている十分な空気を下方吹出口５９から吹出させることができる。
【００６７】
（６−７）
図６の状態では、上部流路切替機構２８が第２状態に設定されると同時に下部流路切替機構２９が第３状態に設定されている。このような状態では、上部ダンパ２８ａで上方吹出口５８と上通路Ｒ２及びバイパス通路Ｒ１との間を封鎖するとともにバイパス通路Ｒ１と上通路Ｒ２との間を開通させ、下部ダンパ２９ａで下通路Ｒ３と下方吹出口５９の間を開通させるとともにバイパス通路Ｒ１と下方吹出口５９との間を開通させる。このように下部ダンパ２９ａによって下通路Ｒ３と下方吹出口５９の間及びバイパス通路Ｒ１と下方吹出口５９の間の両方を開通させ、上部ダンパ２８ａによって上通路Ｒ２と上方吹出口５８との間を閉鎖するとともに上方吹出口５８とバイパス通路Ｒ１との間を開くことにより、室内ファン２２が下方に吹出す空気と上方に吹出す空気をともに下方吹出口５９に送ることができる。それにより、下方吹出口５９からの吹出しを強めることができ、十分に調和されている空気を下方吹出口５９から効率良く吹出させることができる。
【００６８】
（６−８）
室内熱交換器２１は、吸込口５７と室内ファン２２との間に配置され、室内ファン２２が室内熱交換器２１の後に配置されていることから、室内ファン２２の室内熱交換器２１に送風する能力が十分引き出せる。このような構成によって、室内ファン２２を小型化し易くなるとともに、一つの室内熱交換器２１で上方吹出口５８から吹出される空気と下方吹出口５９から吹出される空気の両方を調和することが可能になる。このように、室内ファン２２を小型化し易くなること及び室内熱交換器２１に送風するための余分な通路を設けなくても済むことから、ケーシング５０をコンパクト化することができる。
【００６９】
（７）変形例
（７−１）変形例１Ａ
上記第１実施形態では、室内ファン２２を一つの遠心ファンで構成しているが、室内ファン２２は複数の遠心ファンを用いて構成してもよい。
【００７０】
（７−２）変形例１Ｂ
上記第１実施形態では、上方吹出口５８が一つの場合について説明したが、上方吹出口は複数設けられていてもよい。同様に、下方吹出口５９が一つの場合について説明したが、下方吹出口は複数設けられていてもよい。また、吸込口５７も複数設けられていてもよい。
【００７１】
（７−３）変形例１Ｃ
上記第１実施形態では、上部流路切替機構２８に上部ダンパ２８ａを一つ設け、下部流路切替機構２９に下部ダンパ２９ａを一つ設ける場合について説明したが、各流路の開通や閉鎖を行なうためのダンパの数は一つに限られるものではなく、上部流路切替機構２８や下部流路切替機構２９にそれぞれ複数のダンパが設けられるような構成であってもよい。また、流路の開通と閉鎖を行うための構成はダンパに限られるものではなく、シャッタなど他の構成であってもよい。
【００７２】
＜第２実施形態＞
（８）床置き型空調室内機の構成概要
次に、第２実施形態に係る床置き型空調室内機について、図７乃至図１２を用いて説明する。第２実施形態に係る床置き型空調室内機２０Ａも第１実施形態の床置き型空調室内機２０と同様に室内熱交換器２１と室内ファン２２などを有しており、例えば第１実施形態の床置き型空調室内機２０に代えて第２実施形態の床置き型空調室内機２０Ａを図１に示されている回路中に組み込んで、空気調和機１０に適用することができる。
【００７３】
また、床置き型空調室内機２０Ａも室内制御装置４９ａ、液側温度センサ２４、ガス側温度センサ２５及び室内温度センサ２６を備えており、これらの温度センサ２４〜２６の測定結果に応じて室内制御装置４９ａ（制御装置４９）が床置き型空調室内機２０Ａの制御を行なっている。
【００７４】
さらに、室内制御装置４９ａには、室内ファン２２のファンモータ２２ｍ、風向調節機構２７、上部流路切替機構２８Ａ（図７乃至図１２参照）及び下部流路切替機構２９Ａ（図７乃至図１２参照）が接続されている。
【００７５】
第１実施形態の床置き型空調室内機２０と第２実施形態の床置き型空調室内機２０Ａが異なる点は、これら上部流路切替機構２８Ａ及び下部流路切替機構２９Ａの構成とバイパス通路Ｒ６，Ｒ７などのその周辺の構造である。
【００７６】
上部流路切替機構２８Ａ及び下部流路切替機構２９Ａには、それぞれ３つの上部ダンパすなわち上部中央ダンパ２８ａ１、上部右ダンパ２８ａ２及び上部左ダンパ２８ａ３並びに３つの下部ダンパすなわち下部中央ダンパ２９ａ１、下部右ダンパ２９ａ２及び下部左ダンパ２９ａ３が設けられている。さらにそれら上部中央ダンパ２８ａ１、上部右ダンパ２８ａ２及び上部左ダンパ２８ａ３並びに下部中央ダンパ２９ａ１、下部右ダンパ２９ａ２及び下部左ダンパ２９ａ３を駆動するための駆動軸２８ｂ１，２８ｂ２，２８ｂ３，２９ｂ１，２９ｂ２，２９ｂ３が、それぞれ上部流路切替機構２８Ａ及び下部流路切替機構２９Ａに設けられている。これら駆動軸２８ｂ１，２８ｂ２，２８ｂ３，２９ｂ１，２９ｂ２，２９ｂ３は、例えばモータなどのアクチュエータ（図示せず）の動力によってそれぞれ独立して動くよう構成されている。
【００７７】
（９）ケーシングの外観
床置き型空調室内機２０Ａは、図３に示されているケーシング５０を備えている第１実施形態の床置き型空調室内機２０に比べて左右の幅が広く前後の奥行きが薄く形成しやすいが、同じような外観を呈する。このように第２実施形態に係る床置き型空調室内機２０Ａの外観は、縦・横・高さ（幅・奥行き・高さ）の比が第１実施形態に係る床置き型空調室内機２０と異なるだけで類似の外観を呈するので、第２実施形態に係る床置き型空調室内機２０Ａの外観の説明を省略する。
【００７８】
（１０）ケーシング内部の構造
図７乃至図１２には床置き型空調室内機２０Ａの断面構造の概要が示されている。ケーシング５０Ａの前面パネル５１Ａの吸込口５７の後側には、室内熱交換器２１の収納される第１内部空間Ｓ１が形成されている。室内熱交換器２１の形状や第１内部空間Ｓ１における室内熱交換器２１の配置及び、室内熱交換器２１や室内ファン２２と吸込口５７や第１仕切部材６１の開口部６１ａとの関係は、第１実施形態において説明しているので説明を省略する。
【００７９】
第２実施形態の床置き型空調室内機２０Ａのバイパス通路Ｒ６，Ｒ７は、第１内部空間Ｓ１に対して幅方向に並んで設けられている。換言すると、バイパス通路Ｒ６，Ｒ７は、第１内部空間Ｓ１と右側面パネル５２Ａの間及び第１内部空間Ｓ１と左側面パネル５３Ａの間に設けられているということである。そのため、室内ファン２２は、後面パネル５６Ａに取り付けられている。
【００８０】
室内ファン２２と右側面パネル５２Ａとの間に右側面パネル５２Ａと平行に設けられている右仕切部材８１によって、第３内部空間Ｓ３が形成されている。また、室内ファン２２と左側面パネル５３Ａとの間に左側面パネル５３Ａと平行に設けられている左仕切部材８２によって、第４内部空間Ｓ４が形成されている。これら第３内部空間Ｓ３及び第４内部空間Ｓ４がそれぞれバイパス通路Ｒ６，Ｒ７になっている。
【００８１】
この第３内部空間Ｓ３の右と左が右仕切部材８１及び右側面パネル５２Ａによって覆われ、第３内部空間Ｓ３の前後が前面パネル５１Ａ及び後面パネル５６Ａによって覆われ、第３内部空間Ｓ３の上下が天面パネル５４Ａ及び底面パネル５５Ａによって覆われている。また、この第４内部空間Ｓ４の右と左が左仕切部材８２及び左側面パネル５３Ａによって覆われ、第４内部空間Ｓ４の前後が前面パネル５１Ａ及び後面パネル５６Ａによって覆われ、第４内部空間Ｓ４の上下が天面パネル５４Ａ及び底面パネル５５Ａによって覆われている。
【００８２】
室内ファン２２は、上方と下方にそれぞれ上方出口２２ａ及び下方出口２２ｂを持っている。上方出口２２ａは、ケーシング５０Ａの上通路Ｒ２に接続されており、下方出口２２ｂは、ケーシング５０Ａの下通路Ｒ３に接続されている。
【００８３】
上通路Ｒ２は、第１仕切部材６１の板状部分６１ｂの上部と後面パネル５６Ａの上部との間に形成され、その右と左が右仕切部材８１及び左仕切部材８２で囲まれている。同様に、下通路Ｒ３は、第１仕切部材６１の板状部分６１ｂの下部と後面パネル５６Ａの下部との間に形成され、その右と左が右仕切部材８１及び左仕切部材８２で囲まれている。
【００８４】
上方吹出口５８には、上方吹出通路用第１部材７１と上方吹出通路用第２部材７２との間に形成されている上方吹出通路Ｒ４が繋がっている。上方吹出通路用第２部材７２は、後面パネル５６から前方に向かって延びている。上方吹出通路用第１部材７１及び上方吹出通路用第２部材７２の右と左が右仕切部材８１及び左仕切部材８２にまで続いている。そして、上方吹出口５８の右と左には、右仕切部材８１及び左仕切部材８２にそれぞれ上部第１右開口部９１及び上部第１左開口部９２が設けられている。また、上方吹出口５８とは反対側の上方吹出通路用第１部材７１と上方吹出通路用第２部材７２の端部は、上部第２開口部６７に繋がっている。下方吹出口５９には、下方吹出通路用第１部材７３と下方吹出通路用第２部材７４との間に形成されている下方吹出通路Ｒ５が繋がっている。下方吹出通路用第２部材７４は、後面パネル５６から前方に向かって延びている。下方吹出通路用第１部材７３及び下方吹出通路用第２部材７４の右と左が右仕切部材８１及び左仕切部材８２にまで続いている。そして、下方吹出口５９の右と左には、右仕切部材８１及び左仕切部材８２にそれぞれ下部第１右開口部９３及び下部第１左開口部９４が設けられている。また、下方吹出口５９とは反対側の下方吹出通路用第１部材７３と下方吹出通路用第２部材７４の端部は、下部第２開口部６８に繋がっている。
【００８５】
上方吹出通路Ｒ４を形成する上方吹出通路用第１部材７１は、上通路Ｒ２を形成する第１仕切部材６１の板状部分６１ｂの上部に接続されている。また、上方吹出通路Ｒ４を形成する上方吹出通路用第２部材７２は、上通路Ｒ２を形成する後面パネル５６Ａに接続されている。つまり、バイパス通路Ｒ６，Ｒ７と上通路Ｒ２と上方吹出通路Ｒ４とが接続されて、交差路が形成されている。これらバイパス通路Ｒ６，Ｒ７と上通路Ｒ２と上方吹出通路Ｒ４とが交わる交差路に上部流路切替機構２８Ａが形成されている。
【００８６】
また、下方吹出通路Ｒ５を形成する下方吹出通路用第１部材７３は、下通路Ｒ３を形成する第１仕切部材６１の板状部分６１ｂの下部に接続されている。また、下方吹出通路Ｒ５を形成する下方吹出通路用第２部材７４は、下通路Ｒ３を形成する後面パネル５６Ａに接続されている。つまり、バイパス通路Ｒ６，Ｒ７と下通路Ｒ３と下方吹出通路Ｒ５とが接続されて、交差路が形成されている。これらバイパス通路Ｒ６，Ｒ７と下通路Ｒ３と下方吹出通路Ｒ５とが交わる交差路に下部流路切替機構２９Ａが形成されている。
【００８７】
上部流路切替機構２８Ａは、上部中央ダンパ２８ａ１、上部右ダンパ２８ａ２及び上部左ダンパ２８ａ３並びに駆動軸２８ｂ１，２８ｂ２，２８ｂ３を有して構成されている。上部流路切替機構２８Ａは、上部右ダンパ２８ａ２及び上部左ダンパ２８ａ３で上部第１右開口部９１及び上部第１左開口部９２を閉じて上部中央ダンパ２８ａ１で上部第２開口部６７を開く第１状態（図７及び図８参照）と、上部右ダンパ２８ａ２及び上部左ダンパ２８ａ３で上部第１右開口部９１及び上部第１左開口部９２を開いて上部中央ダンパ２８ａ１で上部第２開口部６７を閉じる第２状態（図１１及び図１２参照）と、上部中央ダンパ２８ａ１、上部右ダンパ２８ａ２及び上部左ダンパ２８ａ３で上部第１右開口部９１及び上部第１左開口部９２並びに上部第２開口部６７の全てを開く第３状態（図９及び図１０参照）とを切り替える。言い換えると、上部流路切替機構２８Ａは、第１状態では上通路Ｒ２と上方吹出通路Ｒ４の間を開通させるとともに上通路Ｒ２及び上方吹出通路Ｒ４とバイパス通路Ｒ６、Ｒ７の間を閉鎖し、第２状態ではバイパス通路Ｒ６、Ｒ７と上通路Ｒ２との間を開通させるとともにバイパス通路Ｒ６、Ｒ７及び上通路Ｒ２と上方吹出通路Ｒ４との間を閉鎖し、第３状態ではバイパス通路Ｒ６、Ｒ７と上通路Ｒ２と上方吹出通路Ｒ４の間を全て開通させる。
【００８８】
下部流路切替機構２９Ａは、下部中央ダンパ２９ａ１、下部右ダンパ２９ａ２及び下部左ダンパ２９ａ３並びに駆動軸２９ｂ１，２９ｂ２，２９ｂ３を有して構成されている。下部流路切替機構２９Ａは、下部右ダンパ２９ａ２及び下部左ダンパ２９ａ３で下部第１右開口部９１及び下部第１左開口部９２を閉じて下部中央ダンパ２９ａ１で下部第２開口部６８を開く第１状態（図７及び図８参照）と、下部右ダンパ２９ａ２及び下部左ダンパ２９ａ３で下部第１右開口部９１及び下部第１左開口部９２を開いて下部中央ダンパ２９ａ１で下部第２開口部６８を閉じる第２状態（図９及び図１０参照）と、下部中央ダンパ２９ａ１、下部右ダンパ２９ａ２及び下部左ダンパ２９ａ３で下部第１右開口部９１及び下部第１左開口部９２並びに下部第２開口部６８の全てを開く第３状態（図１１及び図１２参照）とを切り替える。言い換えると、下部流路切替機構２９Ａは、第１状態では下通路Ｒ３と下方吹出通路Ｒ５の間を開通させるとともに下通路Ｒ３及び下方吹出通路Ｒ５とバイパス通路Ｒ６、Ｒ７との間を閉鎖し、第２状態ではバイパス通路Ｒ６、Ｒ７と下通路Ｒ３との間を開通させるとともにバイパス通路Ｒ６、Ｒ７及び下通路Ｒ３と下方吹出通路Ｒ５との間を閉鎖し、第３状態ではバイパス通路Ｒ６、Ｒ７と下通路Ｒ３と下方吹出通路Ｒ５との間を開通させる。
【００８９】
（１１）上部流路切替機構と下部流路切替機構の動作
（１１−１）上下吹きモード
図７及び図８には、上下吹きモードで動作している床置き型空調室内機２０Ａが示されている。上下吹きモードにおいては、上部流路切替機構２８Ａ及び下部流路切替機構２９Ａが両方とも第１状態になっている。つまり、上部流路切替機構２８Ａでは上部右ダンパ２８ａ２及び上部左ダンパ２８ａ３によって上部第１右開口部９１及び上部第１左開口部９２が閉じられ、下部流路切替機構２９Ａでは下部右ダンパ２９ａ２及び下部左ダンパ２９ａ３によって下部第１右開口部９３及び下部第１左開口部９４が閉じられている。そして、上部流路切替機構２８Ａの上部中央ダンパ２８ａ１によって上部第２開口部６７が開かれ、下部流路切替機構２９Ａの下部中央ダンパ２９ａ１によって下部第２開口部６８が開かれている。
【００９０】
図７及び図８に示されている状態では、吸込口５７から第１内部空間Ｓ１に吸込まれた室内空気は、室内熱交換器２１で熱交換される。暖房運転時には、室内熱交換器２１で暖められた調和空気が第１仕切部材６１の開口部６１ａを通過して室内ファン２２に吸込まれる。室内ファン２２に吸込まれた調和空気は、上下方向に同時に導かれ、室内ファン２２の上方出口２２ａ及び下方出口２２ｂから吹出される。室内ファン２２の上方出口２２ａから出る調和空気は、上通路Ｒ２から上方吹出通路Ｒ４を通って上方吹出口５８より吹出される。このとき、上部右ダンパ２８ａ２及び上部左ダンパ２８ａ３は上部第１右開口部９１及び上部第１左開口部９２を閉じているので、上通路Ｒ２及び上方吹出通路Ｒ４からバイパス通路Ｒ６，Ｒ７に向かう気流は生じない。また、室内ファン２２の下方出口２２ｂから出る調和空気は、下通路Ｒ３から下方吹出通路Ｒ５を通って下方吹出口５９より吹出される。このとき、下部右ダンパ２９ａ２及び下部左ダンパ２９ａ３は下部第１右開口部９１及び下部第１左開口部９２を閉じているので、下通路Ｒ３及び下方吹出通路Ｒ５からバイパス通路Ｒ６，Ｒ７に向かう気流は生じない。
【００９１】
（１１−２）上吹きモード
図９及び図１０には、上吹きモードで動作している床置き型空調室内機２０Ａが示されている。上吹きモードにおいては、上部流路切替機構２８Ａが第３状態になるとともに下部流路切替機構２９Ａが第２状態になっている。つまり、上部流路切替機構２８Ａでは上部中央ダンパ２８ａ１、上部右ダンパ２８ａ２及び上部左ダンパ２８ａ３によって上部第１右開口部９１及び上部第1左開口部９２並びに上部第２開口部６７が開かれ、下部流路切替機構２９Ａでは下部中央ダンパ２９ａ１によって下部第２開口部６８が閉じられ、下部右ダンパ２９ａ２及び下部左ダンパ２９ａ３によって下部第１右開口部９３及び下部第１左開口部９４が開かれる。
【００９２】
図９及び図１０に示されている状態では、冷房運転時には、室内熱交換器２１で冷やされた調和空気が第１仕切部材６１の開口部６１ａを通過して室内ファン２２に吸込まれ、室内ファン２２の上方出口２２ａ及び下方出口２２ｂから吹出される。室内ファン２２の上方出口２２ａから出る調和空気は、上通路Ｒ２から上方吹出通路Ｒ４を通って上方吹出口５８より吹出される。また、室内ファン２２の下方出口２２ｂから出る調和空気は、下通路Ｒ３からバイパス通路Ｒ６，Ｒ７を通って上部第１右開口部９１及び上部第１左開口部９２より上方吹出通路Ｒ４に入る。つまり、室内ファン２２の上方出口２２ａ及び下方出口２２ｂからでる調和空気は、両方とも上方吹出口５８から吹出される。
【００９３】
（１１−３）下吹きモード
図１１及び図１２には、下吹きモードで動作している床置き型空調室内機２０Ａが示されている。下吹きモードにおいては、上部流路切替機構２８Ａが第２状態になるとともに下部流路切替機構２９Ａが第３状態になっている。つまり、上部流路切替機構２８Ａでは
上部右ダンパ２８ａ２及び上部左ダンパ２８ａ３によって上部第１右開口部９１及び上部第１左開口部９２が開かれ、上部中央ダンパ２８ａ１で上部第２開口部６７が閉じられ、下部流路切替機構２９Ａでは下部中央ダンパ２９ａ１、下部右ダンパ２９ａ２及び下部左ダンパ２９ａ３によって下部第１右開口部９３及び下第１左開口部９４並びに下部第２開口部６８が開かれる。
【００９４】
図１１及び図１２に示されている状態では、暖房運転時には、室内熱交換器２１で暖められた調和空気が第１仕切部材６１の開口部６１ａを通過して室内ファン２２に吸込まれ、室内ファン２２の上方出口２２ａ及び下方出口２２ｂから吹出される。室内ファン２２の下方出口２２ｂから出る調和空気は、下通路Ｒ３から下方吹出通路Ｒ５を通って下方吹出口５９より吹出される。また、室内ファン２２の上方出口２２ａから出る調和空気は、上通路Ｒ２からバイパス通路ＲＲ６，Ｒ７を通って下部第１右開口部９３及び下部第１左開口部９４より下方吹出通路Ｒ５に入る。つまり、室内ファン２２の上方出口２２ａ及び下方出口２２ｂからでる調和空気は、両方とも下方吹出口５９から吹出される。
【００９５】
（１２）特徴
（１２−１）
上記実施形態の床置き型空調室内機２０Ａは、室内熱交換器２１（熱交換器の一例）と、ケーシング５０Ａと、室内ファン２２（遠心ファンの一例）と、上部流路切替機構２８Ａと、下部流路切替機構２９Ａとを備えている。ケーシング５０Ａには、室内熱交換器２１及び室内ファン２２が収納されている。このケーシング５０Ａには、吸込口５７、吸込口５７の上方にある上方吹出口５８、吸込口５７の下方にある下方吹出口５９、上通路Ｒ２、下通路Ｒ３及びバイパス通路Ｒ６、Ｒ７が形成されている。室内ファン２２は、吸込口５７と上通路Ｒ２及び下通路Ｒ３との間に配置され、吸込口５７から上方吹出口５８及び下方吹出口５９に向かう空気の流れを発生させることができる。
【００９６】
上部流路切替機構２８Ａは、上方吹出口５８と上通路Ｒ２とバイパス通路Ｒ６、Ｒ７の流路の切り替えを行なう。下部流路切替機構２９Ａは、下方吹出口５９と下通路Ｒ３とバイパス通路Ｒ６、Ｒ７の流路の切り替えを行なう。上通路Ｒ２は、室内ファン２２の上方出口２２ａから上部流路切替機構２８Ａに続き、下通路Ｒ３は、室内ファン２２の下方出口２２ｂから下部流路切替機構２９Ａに続いている。バイパス通路Ｒ６、Ｒ７は、室内ファン２２に対して吸込口５７の側とは反対側の第２内部空間Ｓ２に形成され、上部流路切替機構２８Ａ及び下部流路切替機構２９Ａに接続されている。また、上部流路切替機構２８Ａは、上通路Ｒ２を通って上方吹出口５８に調和空気が向かう第１状態及び第３状態（上部流路第１状態の一例）と上通路Ｒ２からバイパス通路Ｒ６、Ｒ７を通って下方吹出口５９に調和空気が向かう第２状態（上部流路第２状態の一例）とを切り替え可能に構成されている。また下部流路切替機構２９Ａは、下通路Ｒ３から下方吹出口５９に調和空気が向かう第１状態及び第３状態（下部流路第１状態の一例）と下通路Ｒ３からバイパス通路Ｒ６，Ｒ７を通って上方吹出口５８に調和空気が向かう第２状態（下部流路第２状態の一例）とを切り替え可能に構成されている。
【００９７】
上通路Ｒ２からバイパス通路Ｒ６，Ｒ７を通って下方吹出口５９に空気が向かう上部流路切替機構２８Ａを第２状態にすることで、バイパス通路Ｒ６，Ｒ７を下方吹出通路Ｒ５に通じさせていれば（下部流路切替機構２９Ａが第３状態になっていれば）、上通路Ｒ２に向かう空気を下方吹出口５９から吹出させることができる。また、下通路からバイパス通路を通って上方吹出口に空気が向かう下部流路切替機構２９Ａを第２状態にすることで、バイパス通路Ｒ６，Ｒ７を上方吹出通路Ｒ４に通じさせていれば（上部流路切替機構２８Ａが第３状態になっていれば）、下通路Ｒ３に向かう空気を上方吹出口５８から吹出させることができる。このように室内ファン２２の周囲に配置されているバイパス通路Ｒ６，Ｒ７を使って室内ファン２２の空気を導くことで、簡単で安価なバイパス通路Ｒ６，Ｒ７を使ってケーシング５０Ａをコンパクトに保ちながら、上部流路切替機構及び下部流路切替機構により空気の導き方にバリエーションを持たせることができ、空気の導き方のバリエーションから上方吹出口と下方吹出口から十分に調和された空気を吹出させるモードを適宜選択できる。
【００９８】
（１２−２）
上部流路切替機構２８Ａ及び下部流路切替機構２９Ａは、上部流路切替機構２８Ａが第１状態のときに下部流路切替機構２９Ａを第１状態の設定（上部流路第１状態と下部流路第１状態とを同時に設定している状態の一例）にできる。このように設定される図７及び図８の状態では、上部流路切替機構２８Ａを第１状態にして室内ファン２２から上に吹出される調和空気を上方吹出口５８から吹出させると同時に、下部流路切替機構２９Ａを第１状態にして室内ファン２２から下に吹出される調和空気を下方吹出口５９から吹出させることができ、上下吹きを行なわせることができる。上下吹きモードにすることにより、上部流路切替機構２８Ａと下部流路切替機構２９Ａを用いて上下吹きを行わせることができ、上方吹出口５８と下方吹出口５９から同時に十分に調和されている空気を吹出させることができる。
【００９９】
（１２−３）
図７及び図８の状態では、上部流路切替機構２８Ａが第１状態に設定されると同時に下部流路切替機構２９Ａが第１状態に設定されている。このような状態では、上部中央ダンパ２８ａ１で上通路Ｒ２と上方吹出口５８との間が開通し、上部右ダンパ２８ａ２及び上部左ダンパ２８ａ３で上方吹出口５８及び上通路Ｒ２とバイパス通路Ｒ６，Ｒ７との間が封鎖され、下部中央ダンパ２９ａ１で下通路Ｒ３と下方吹出口５９との間を開通させるとともに下部右ダンパ２９ａ２及び下部左ダンパ２９ａ３で下方吹出口５９及び下通路Ｒ３とバイパス通路Ｒ６，Ｒ７との間が封鎖される。このようにバイパス通路Ｒ６，Ｒ７を上部右ダンパ２８ａ２及び上部左ダンパ２８ａ３と下部右ダンパ２９ａ２及び下部左ダンパ２９ａ３で閉鎖することにより、バイパス通路Ｒ６，Ｒ７に空気が流れ込まないようにして、上方吹出口５８と下方吹出口５９から同時に十分に調和されている空気を効率良く吹出させることができる。
【０１００】
（１２−４）
上部流路切替機構２８Ａ及び下部流路切替機構２９Ａは、上部流路切替機構２８Ａが第３状態のときに下部流路切替機構２９Ａを第２状態の設定（上部流路第１状態と下部流路第２状態とを同時に設定している状態の一例）にできる。このように設定される図９及び図１０の状態では、上部流路切替機構２８Ａを第３状態にして上通路Ｒ２を通って上方吹出口５８に空気が導かれ、下部流路切替機構２９Ａを第２状態にして下通路Ｒ３からバイパス通路Ｒ６，Ｒ７を通って上方吹出口５８に空気が導かれる。このように室内ファン２２が上方に吹出す空気及び下方に吹出す空気を両方とも上方吹出口５８から吹出させることができ、室内ファン２２が上下に吹出す空気をともに上方に導くことで調和されている十分な空気を上方吹出口５８から吹出させることができる。
【０１０１】
（１２−５）
図９及び図１０の状態では、上部流路切替機構２８Ａが第３状態に設定されると同時に下部流路切替機構２９Ａが第２状態に設定されている。このような状態では、上部中央ダンパ２８ａ１で上通路Ｒ２と上方吹出口５８の間を開通させるとともに上部右ダンパ２８ａ２及び上部左ダンパ２８ａ３で上方吹出口５８とバイパス通路Ｒ６，Ｒ７との間を開通させ、下部中央ダンパ２９ａ１、下部右ダンパ２９ａ２及び下部左ダンパ２９ａ３で下方吹出口５９と下通路Ｒ３及びバイパス通路Ｒ６，Ｒ７との間を封鎖するとともにバイパス通路Ｒ６，Ｒ７と下通路Ｒ３との間を開通させる。このように上部中央ダンパ２８ａ１、上部右ダンパ２８ａ２及び上部左ダンパ２８ａ３によって上通路Ｒ２と上方吹出口５８の間及びバイパス通路Ｒ６，Ｒ７と上方吹出口５８の間の両方を開通させ、下部中央ダンパ２９ａ１によって下通路Ｒ３と下方吹出口５９との間を閉鎖するとともに下部右ダンパ２９ａ２及び下部左ダンパ２９ａ３で下通路Ｒ３とバイパス通路Ｒ６，Ｒ７との間を開通させることにより、室内ファン２２が上方に吹出す空気と下方に吹出す空気をともに上方吹出口５８に送ることができる。それにより、上方吹出口５８からの吹出しを強めることができ、十分に調和されている空気を上方吹出口５８から効率良く吹出させることができる。
【０１０２】
（１２−６）
上部流路切替機構２８Ａ及び下部流路切替機構２９Ａは、上部流路切替機構２８Ａが第２状態のときに下部流路切替機構２９Ａを第３状態の設定（上部流路第２状態と下部流路第１状態とを同時に設定している状態の一例）にできる。このように設定される図１１及び図１２の状態では、下部流路切替機構２９Ａを第３状態にして下通路Ｒ３を通って下方吹出口５９に空気が導かれ、上部流路切替機構２８Ａを第２状態にして上通路Ｒ２からバイパス通路Ｒ６，Ｒ７を通って下方吹出口５９に空気が導かれる。このように室内ファン２２が上方に吹出す空気及び下方に吹出す空気を両方とも下方吹出口５９から吹出させることができ、室内ファン２２が上下に吹出す空気をともに下方に導くことで調和されている十分な空気を下方吹出口５９から吹出させることができる。
【０１０３】
（１２−７）
図１１及び図１２の状態では、上部流路切替機構２８Ａが第２状態に設定されると同時に下部流路切替機構２９Ａが第３状態に設定されている。このような状態では、上部中央ダンパ２８ａ１で上方吹出口５８と上通路Ｒ２及びバイパス通路Ｒ６，Ｒ７との間を封鎖するとともに上部右ダンパ２８ａ２及び上部左ダンパ２８ａ３でバイパス通路Ｒ６，Ｒ７と上通路Ｒ２との間を開通させ、下部中央ダンパ２９ａ１で下通路Ｒ３と下方吹出口５９の間を開通させるとともに下部右ダンパ２９ａ２及び下部左ダンパ２９ａ３でバイパス通路Ｒ６，Ｒ７と下方吹出口５９との間を開通させる。このように下部中央ダンパ２９ａ１、下部右ダンパ２９ａ２及び下部左ダンパ２９ａ３によって下通路Ｒ３と下方吹出口５９の間及びバイパス通路Ｒ６，Ｒ７と下方吹出口５９の間の両方を開通させ、上部中央ダンパ２８ａ１によって上通路Ｒ２と上方吹出口５８との間を閉鎖するとともに上部右ダンパ２８ａ２及び上部左ダンパ２８ａ３で上方吹出口５８とバイパス通路Ｒ６，Ｒ７との間を開くことにより、室内ファン２２が下方に吹出す空気と上方に吹出す空気をともに下方吹出口５９に送ることができる。それにより、下方吹出口５９からの吹出しを強めることができ、十分に調和されている空気を下方吹出口５９から効率良く吹出させることができる。
【０１０４】
（１３）変形例
（１３−１）変形例２Ａ
上記第２実施形態では、室内ファン２２を一つの遠心ファンで構成しているが、室内ファン２２は複数の遠心ファンを用いて構成してもよい。
【０１０５】
（１３−２）変形例２Ｂ
上記第２実施形態では、上方吹出口５８が一つの場合について説明したが、上方吹出口は複数設けられていてもよい。同様に、下方吹出口５９が一つの場合について説明したが、下方吹出口は複数設けられていてもよい。また、吸込口５７も複数設けられていてもよい。
【０１０６】
（１３−３）変形例２Ｃ
上記第２実施形態では、上部流路切替機構２８Ａに上部中央ダンパ２８ａ１、上部右ダンパ２８ａ２及び上部左ダンパ２８ａ３を設け、下部流路切替機構２９Ａに下部中央ダンパ２９ａ１、下部右ダンパ２９ａ２及び下部左ダンパ２９ａ３を設ける場合について説明したが、各流路の開通や閉鎖を行なうためのダンパの数はこの例の数に限られるものではない。また、流路の開通と閉鎖を行うための構成はダンパに限られるものではなく、シャッタなど他の構成であってもよい。
【０１０７】
（１３−４）変形例２Ｄ
上記第２実施形態では、ケーシング５０Ａの両側にバイパス通路Ｒ６，Ｒ７を設ける場合について説明したが、側面に設けられるバイパス通路は、バイパス通路Ｒ６又はバイパス通路Ｒ７のいずれか一方のみでもよい。また、上記第１実施形態と第２実施形態を組み合わせて、側面と背面の両方にも受ける構成にすることもできる。
【符号の説明】
【０１０８】
２０,２０Ａ  床置き型空調室内機
２１  室内熱交換器
２２  室内ファン
２８，２８Ａ  上部流路切替機構
２８ａ  上部ダンパ
２８ａ１  上部中央ダンパ
２８ａ２  上部右ダンパ
２８ａ３  上部左ダンパ
２９，２９Ａ  下部流路切替機構
２９ａ  下部ダンパ
２９ａ１  下部中央ダンパ
２９ａ２  下部右ダンパ
２９ａ３  下部左ダンパ
５０,５０Ａ  ケーシング
５７  吸込口
５８  上方吹出口
５９  下方吹出口
Ｒ１，Ｒ６，Ｒ７  バイパス通路
Ｒ２  上通路
Ｒ３  下通路
Ｒ４  上方吹出通路
Ｒ５  下方吹出通路
【先行技術文献】
【特許文献】
【０１０９】
【特許文献１】特開２００９−２５７７０９号公報
【図１】
2014092317.tif 000003
【図２】
2014092317.tif 000004
【図３】
2014092317.tif 000005
【図４】
2014092317.tif 000006
【図５】
2014092317.tif 000007
【図６】
2014092317.tif 000008
【図７】
2014092317.tif 000009
【図８】
2014092317.tif 000010
【図９】
2014092317.tif 000011
【図１０】
2014092317.tif 000012
【図１１】
2014092317.tif 000013
【図１２】
2014092317.tif 000014